(57)【要約】 【課題】 盛り塩を成形する際に、手が汚れる、形状が整わない、時間がかかってしまう、盛り塩の交換に心的負担を感じるという不都合を解決する。【解決手段】先端に、適量の塩を挟み込む動作又は適量の塩に押し付ける動作により盛り塩を成形するための盛り塩成形用型やその型と組み合わせて使用する型取り用プレス栓を装着した支持部と、それに連なるつかみ部がＵ字型の折り返し部を介して連結した形状を特徴とする盛り塩成形器又は、盛り塩成形用型が取っ手の先端に固定された形状を特徴とする盛り塩成形器を用いて、容器や袋に収納された一定量の塩を挟み込む動作又は適量の塩に押し付けることによって、手を汚すことなく片手のみで簡便、迅速に同一形状の錐形の盛り塩を大量に成形することができる。【選択図】  図１
2012147702.tif 000002
【特許請求の範囲】
【請求項１】
一方の側を把持部とした取っ手の他方側に錐形盛り塩成形用型を設け、該錐形盛り塩成形用型を適量の塩に押し付けて錐形盛り塩成形用型内に塩を収容し、それを反転して載置物上に載置し盛り塩を形成することを特徴とする盛り塩成形器。
【請求項２】
前記把持部は、Ｕ字型の折り返し部を形成した一対のつかみ部を備え、一方のつかみ部の先端には錐形盛り塩成形用型を設け、他方のつかみ部の先端には盛り塩型取り用プレス栓を設け、錐形盛り塩成形用型内の塩を押圧し、錐形の盛り塩を型取りすることを特徴とする請求項１に記載の盛り塩成形器。
【請求項３】
Ｕ字型の折り返し部を形成して一対のつかみ部を備えた把持部と、前記つかみ部の端部に前記把持部と一体成形或いは前記つかみ部のそれぞれに固定した一対の半錐形盛り塩成形用型とを備え、前記半錐形盛り塩成形用型を重合し該半錐形盛り塩成形用型内に適量の塩を挟み込んで半錐形盛り塩成形用型内に収容し、載置物上で前記半錐形盛り塩成形用型を互いに離して盛り塩を形成することを特徴とする盛り塩成形器。
【請求項４】
前記半錐形盛り塩成形用型は、内部が空洞であって底壁がなく一対の半錐形盛り塩成形用型が重合した際に内部に塩を収容する錐形の空洞を形成することを特徴とする請求項３に記載の盛り塩成形器。
【請求項５】
前記つかみ部は前記半錐形盛り塩成形用型の外側壁の上部から下部まで延設して該外側壁を固定したことを特徴とする請求項３に記載の盛り塩成形器。
【発明の詳細な説明】
【技術分野】
【０００１】
本発明は、風水、儀式などで使用する盛り塩に関するものであり、手を汚すことなく
簡易に錐形の盛り塩が成形できるようにしたものである。        
【背景技術】
【０００２】
従来から、盛り塩を成形する際には手で盛るか、錐形の盛り塩成形器などが利用されて
いる。その例として、特許文献１に開示されているものがある。
【先行技術文献】
【特許文献】
【０００３】
【特許文献１】実用新案登録第３０８２３３２号公報
【発明の概要】
【発明が解決しようとする課題】
【０００４】
しかし、従来の方法のうち手で盛る方法では手が汚れ、同一形状の錐形の盛り塩を大量にきれいに成形することが難しく、完成させるまでに時間がかかり、新しい盛り塩の交換時には制作者の心的負担がかかっていた。また、錐形にくりぬいた型や錐形の容器に塩を詰め固めて作成する方法では、直接、手で押し固めたり、塩を詰めるためのへらなどの道具を必要とすることから作業中に手が汚れたり、簡便性や迅速性に欠けるなどの難点があった。本発明は、この課題を解消するためになされたものである。
【課題を解決するための手段】
【０００５】
上記目的を解決するため、請求項１の発明は、一方の側を把持部とした取っ手の他方の側に錐形盛り塩成形用型を設け、該錐形盛り塩成形用型を適量の塩に押し付けて錐形盛り塩成形用型内に塩を収容し、それを反転して載置物上に載置し盛り塩を形成することを特徴とする。
【０００６】
請求項２の発明は、前記把持部は、Ｕ字型の折り返し部を形成した一対のつかみ部を備え、一方のつかみ部の先端には錐形盛り塩成形用型を設け、他方のつかみ部の先端には盛り塩型取り用プレス栓を設け、錐形盛り塩成形用型内の塩を押圧し、錐形の盛り塩を型取りすることを特徴とする。
【０００７】
請求項３の発明は、Ｕ字型の折り返し部を形成して一対のつかみ部を備えた把持部と、前記つかみ部の端部に前記把持部と一体成形或いは前記つかみ部のそれぞれに固定した一対の半錐形盛り塩成形用型とを備え、前記半錐形盛り塩成形用型を重合し該半錐形盛り塩成形用型内に適量の塩を挟み込んで半錐形盛り塩成形用型内に収容し、載置物上で前記半錐形盛り塩成形用型を互いに離して盛り塩を形成することを特徴とする。
【０００８】
請求項４の発明は、前記半錐形盛り塩成形用型のそれぞれは、内部が半錐形空洞であって底壁がなく一対の半錐形盛り塩成形用型が重合した際に内部に塩を収容する錐形の空洞を形成することを特徴とする。
【０００９】
請求項５の発明は、前記つかみ部は前記半錐形盛り塩成形用型の外側壁の上部から下部まで延設して該外側壁を固定したことを特徴とする。
【発明の効果】
【００１０】
本発明により、以下に記述する優れた効果を示す。すなわち、請求項１の発明によれば、一方の側を把持部とした取っ手の他方の側に錐形盛り塩成形用型を設け、錐形盛り塩成形用型を適量の塩に押し付けて錐形盛り塩成形用型内に塩を収容し、それを反転して載置物上に載置し盛り塩を成形することにより、手を汚すことなく片手のみで簡便、迅速に同一形状の錐形の盛り塩を大量に成形することができる。これによって、盛り塩を新しいものに定期的に交換する際、その手間が従来の方法に比べて格段に省け、交換に心的負担を感じることなく錐形の盛り塩を成形することができる。
【００１１】
請求項２の発明によれば、前記把持部は、Ｕ字型の折り返し部を形成した一対のつかみ部を備え、一方のつかみ部の先端には錐形盛り塩成形用型を設け、他方のつかみ部の先端には盛り塩型取り用プレス栓を設けてあり、つかみ部に左右から力を入れて挟む動作を行うと、錐形の盛り塩成形用型の底面に盛り塩型取り用プレス栓が合致して、錐形の盛り塩成形用型の底面に蓋ができる構造とすることにより、容器や袋に収納された一定量の塩を挟み込む動作を行うことで、手を汚すことなく片手のみで簡便、迅速に同一形状の錐形の盛り塩を大量に成形することができる。これによって、盛り塩を新しいものに定期的に交換する際、その手間が従来の方法に比べて格段に省け、交換に心的負担を感じることなく錐形の盛り塩を成形することができる。
【００１２】
請求項３の発明によれば、Ｕ字型の折り返し部を形成して一対のつかみ部を備えた把持部と、前記つかみ部の端部に前記把持部と一体成形或いは前記つかみ部のそれぞれに固定した一対の半錐形盛り塩成形用型とを備え、前記半錐形盛り塩成形用型を重合し該半錐形盛り塩成形用型内に適量の塩を挟み込んで半錐形盛り塩成形用型内に収容し、載置物上で前記半錐形盛り塩成形用型を互いに離して盛り塩を形成することで、手を汚すことなく片手のみで簡便、迅速に同一形状の錐形の盛り塩を大量に成形することができ、心的負担を感じることなく定期的な新しい盛り塩の交換に供することができる。
【００１３】
請求項４の発明によれば、前記半錐形盛り塩成形用型は、内部が空洞であって底壁がなく一対の半錐形盛り塩成形用型が重合した際に内部に塩を収容する錐形の空洞を形成することで、手を汚すことなく片手のみで簡便、迅速に同一形状の錐形の盛り塩を大量に成形することができる。これによって、盛り塩を新しいものに定期的に交換する際、その手間が従来の方法に比べて格段に省け、交換に心的負担を感じることなく錐形の盛り塩を成形することができる。
【００１４】
請求項５の発明によれば、前記つかみ部は前記半錐形盛り塩成形用型の外側壁の上部から下部まで延設して該外側壁を固定したことにより、つかみ部と半錐形盛り塩成形用型との固定が強固となりそれぞれの半錐形盛り塩成形用型の重合時にはつかみ部によるはさむ力を確実に、且つ無理なく半錐形盛り塩成形用型に伝えることができると共に手を汚すことなく片手のみで安定して把持でき、簡便、迅速に同一形状の錐形の盛り塩を大量に成形することができる。
【図面の簡単な説明】
【００１５】
【図１】図１は本発明の実施例１による盛り塩成形器の正面図である。
【図２】図２は同じく実施例２による盛り塩成形器の斜視図である。
【図３】図３は同じく実施例３による盛り塩成形器の正面図である。
【図４】図４は同じく図１のＡ−Ａ拡大端面図である。
【図５】図５は同じく側面図である。
【図６】図６は同じく斜視図である。
【図７】図７は同じく盛り塩成形器のつかみ部に左右から力を加え、一対の盛り塩成形用型を重ね合わせた状態の正面図である。
【図８】図８は同じく盛り塩を成形している状態の一例を示す正面図である。
【発明を実施するための形態】
【００１６】
以下、本発明の実施の形態を図１〜８に基づいて説明する。なお、以下に説明する実施の形態は特許請求の範囲に記載された本発明の内容を限定するものでない。また、以下に説明される構成のすべてが本発明の必要要件であるとは限らない。
【実施例１】
【００１７】
図１は実施例１を示しており、図１に示す本発明の盛り塩成形器１(以下、本器１と称する)の全体は、腐食等に強いステンレス製の金属製板状部材等により形成され、細長板材料をＵ字型に二つ折りにした形状を成しており、折り返し部２、つかみ部３，３を備えた把持部４，４を有する取っ手５及び錐形の盛り塩成形用型６を左右から密着するように固定した盛り塩成形用型支持部７，７を備えている。
【００１８】
使用時は、本器１の一方及び他方のつかみ部３，３に指を掛け、次に、塩が収納されている容器や袋内に、本器１の盛り塩成形用型支持部７，７と一体化した盛り塩成形用型６を力強く差し込むと盛り塩成形用型６内に錐形状に成形された盛り塩Sを作ることができる。
【００１９】
図１に示す本器１によって、手を汚さずに片手で簡易、迅速に錐形の盛り塩Sを成形することができる。
【実施例２】
【００２０】
図２は実施例２を示しており、実施例１と同一部分には同一符号を付している。実施例２では、図２に示す本発明の盛り塩成形器８(以下、本器２と称する)の一方の先端の支持部９には錐形盛り塩成形用型６を、他方の支持部１０には盛り塩型取り用プレス栓１１を取り付けたものである。
【００２１】
図２に示す本器２のつかみ部３，３に指を掛け、指に力を加えて両者間を狭めていくと錐形盛り塩成形用型６の底面に盛り塩型取り用プレス栓１１が合致して、錐形盛り塩成形用型６の底面に蓋ができる構造となっている。
【００２２】
使用時は、本器２の一方及び他方のつかみ部３，３に指を掛け、次に、塩が収納されている容器や袋内に、本器２の一方の先端部にあたる錐形盛り塩成形用型６の支持部９と一体化した錐形盛り塩成形用型６、及び他方の支持部１０と一体化した盛り塩型取り用プレス栓１１を差し込み、折り返し部２の弾力性に抗して指に力を加えると錐形盛り塩成形用型６と盛り塩型取り用プレス栓１１の間が狭まって、互いに両者が合致すると、錐形盛り塩成形用型６内に錐形状に成形された盛り塩Sを作ることができる。
【００２３】
一方及び他方のつかみ部３，３に対する力を緩め、折り返し部２の弾力性に従うと錐形盛り塩成形用型６と盛り塩型取り用プレス栓１１は互いに開いた状態になる。次に、盛り塩成形用型６の底面に小皿Dの上面を密着させ、錐形盛り塩成形用型６内に成形された錐形の盛り塩Sが、水平にした小皿Dの上面に山形に載るよう本器２の位置や方向を調整する。錐形に成形された盛り塩Sの形状を保つよう盛り塩成形用型６を小皿Dから上方に離していくと、小皿D上に錐形の盛り塩Sが完成する。
【００２４】
このように、図２に示す本器２によって、手を汚さずに片手で簡易、迅速に錐形の盛り塩Sを成形することができる。
【実施例３】
【００２５】
図３〜８は実施例３を示しており、実施例１と同一部分には同一符号を付している。実施例３では、図３に示す本発明の盛り塩成形器１２(以下、本器３と称する)の両端部には半錐形盛り塩成形用型の支持部１３，１３と半錐形盛り塩成形用型１４，１４とを有する。
【００２６】
図３は錐形を縦に二分した半錐形盛り塩成形用型１４，１４を、その支持部１３，１３にそれぞれの開口側が対向するように取り付けた状態を示す本器３の正面図であり、図４は図３のＡ−Ａ拡大端面図である。
【００２７】
前記半錐形盛り塩成形用型１４，１４のそれぞれは、その支持部１３，１３にそれぞれの開口側を対向して設けられるとともに、それに連なるつかみ部３，３に指をかけ、相互に挟み込む動作を行なうと、半錐形盛り塩成形用型１４，１４の開口側が互いに合致し、錐形の形状を成形する。
【００２８】
折り返し部２は、それぞれのつかみ部３，３に使用者による力がかかっていない状態では、折り返し部２の弾力性によって一方及び他方のつかみ部３，３及びその先端に設けられた半錐形盛り塩成形用型支持部１３，１３及び半錐形盛り塩成形用型１４，１４はそれぞれが離間した状態で保持されている。
【００２９】
使用時は、本器の一方及び他方のつかみ部３，３に指を掛け、次に、塩が収納されている容器や袋内に本器の半錐形盛り塩成形用型支持部１３，１３と一体化した半錐形盛り塩成形用型１４，１４を差し込み、指に力を加えて両者間を狭めると折り返し部２の弾力性に抗して半錐形盛り塩成形用型１４，１４間が狭まって、両者が互いに合致すると半錐形盛り塩成形用型１４，１４内に錐形状に成形された盛り塩Sを作ることができる。
【００３０】
このように、つかみ部３，３間をせばめて成形された盛り塩Sをその成形用型から落とさないように挟む動作を持続しながら、別に用意した小皿D上に移動し、半錐形盛り塩成形用型１４を下方にして本器３を垂直に立て、本器３を左右に開くと図８のとおり、載置物となる小皿D上に錐形の盛り塩Sが完成する。
【００３１】
図３に示す本器３によって、手を汚さずに片手で簡易、迅速に錐形の盛り塩Sを成形することができる。
【００３２】
本発明の材料について説明すれば、ステンレスよりなる金属、耐屈曲性のあるＡＢＳ樹脂等のプラスチックなどである。
【００３３】
対向する半錐形盛り塩成形用型１４，１４を重ね合わせた形状は、円錐のほか三角錐、多角錐などとしてもよい。
【００３４】
半錐形盛り塩成形用型１４，１４の支持部１３，１３、つかみ部３，３、折り返し部２及び半錐形盛り塩成形用型１４，１４はすべて同一材料の一体化した構造としてもよいし、部分的に異なる材料を使用しても良い。
【００３５】
半錐形盛り塩成形用型１４，１４の支持部１３，１３は、半錐形盛り塩成形用型１４，１４の装着の安定性を高めるため、半錐形盛り塩成形用型の支持部１３，１３は半錐形盛り塩成形用型１４，１４の弧に適合するように樋状に湾曲する構造となっている。
【産業上の利用可能性】
【００３６】
本発明は主に家屋内や敷地内に置いて、魔除け、厄除け、方位除けに用いる盛り塩成形器である。
【符号の説明】
【００３７】
１  盛り塩成形器（本器１）
２  折り返し部
３  つかみ部
４  把持部
５  取っ手
６  錐形盛り塩成形用型    
７  錐形盛り塩成形用型の支持部  
８  盛り塩成形器（本器２）  
９  錐形盛り塩成形用型の支持部
１０  盛り塩型取り用プレス栓の支持部
１１  盛り塩型取り用プレス栓          
１２  盛り塩成形器（本器３）
１３  半錐形盛り塩成形用型の支持部
１４  半錐形盛り塩成形用型
D   小皿（載置物）
S   盛り塩
【図１】
2012147702.tif 000003
【図２】
2012147702.tif 000004
【図３】
2012147702.tif 000005
【図４】
2012147702.tif 000006
【図５】
2012147702.tif 000007
【図６】
2012147702.tif 000008
【図７】
2012147702.tif 000009
【図８】
2012147702.tif 000010
【手続補正書】
【提出日】平成23年8月11日(2011.8.11)
【手続補正１】
【補正対象書類名】明細書
【補正対象項目名】０００７
【補正方法】変更
【補正の内容】
【０００７】
請求項３の発明は、Ｕ字型の折り返し部を形成して一対のつかみ部を備えた把持部と、前記つかみ部の端部にあって樋状の支持部に適合するようにそれぞれに固定した一対の半錐形盛り塩成形用型と、前記半錐形盛り塩成形用型の外側壁であって当該半錐形盛り塩成形用型の弧に適合するように樋状に湾曲して取り付けた支持部を備え、前記半錐形盛り塩成形用型を重合し該半錐形盛り塩成形用型内に適量の塩を挟み込んで半錐形盛り塩成形用型内に収容し、載置物上で前記半錐形盛り塩成形用型を互いに離して盛り塩を形成することを特徴とする。
【手続補正２】
【補正対象書類名】明細書
【補正対象項目名】０００８
【補正方法】変更
【補正の内容】
【０００８】
請求項４の発明は、前記つかみ部は前記半錐形盛り塩成形用型の外側壁の上部から下部まで延設して該外側壁を固定したことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１２
【補正方法】変更
【補正の内容】
【００１２】
請求項３の発明によれば、Ｕ字型の折り返し部を形成して一対のつかみ部を備えた把持部と、前記つかみ部の端部にあって樋状の支持部に適合するようにそれぞれに固定した一対の半錐形盛り塩成形用型と、前記半錐形盛り塩成形用型の外側壁であって当該半錐形盛り塩成形用型の弧に適合するように樋状に湾曲して取り付けた支持部等を備え、前記半錐形盛り塩成形用型を重合し該半錐形盛り塩成形用型内に適量の塩を挟み込んで半錐形盛り塩成形用型内に収容し、載置物上で前記半錐形盛り塩成形用型を互いに離して盛り塩を形成することで、手を汚すことなく片手のみで簡便、迅速に同一形状の錐形の盛り塩を大量に成形することができ、心的負担を感じることなく定期的な新しい盛り塩の交換に供することができる。また、当該半錐形盛り塩成形用型は、その弧に適合するように樋状に湾曲した支持部にそれぞれに固定されたものであるから把持部に加えた力が均等に支持部に伝わり、錐形の盛り塩がきれいに成形できる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項４の発明によれば、前記つかみ部は前記半錐形盛り塩成形用型の外側壁の上部から下部まで延設して該外側壁を固定したことにより、つかみ部と半錐形盛り塩成形用型との固定が強固となりそれぞれの半錐形盛り塩成形用型の重合時にはつかみ部によるはさむ力を確実に、且つ無理なく半錐形盛り塩成形用型に伝えることができると共に手を汚すことなく片手のみで安定して把持でき、簡便、迅速に同一形状の錐形の盛り塩を大量に成形することができる。
【手続補正７】
【補正対象書類名】明細書
【補正対象項目名】００１５
【補正方法】変更
【補正の内容】
【００１５】
【図１】図１は本発明の実施例１による盛り塩成形器の正面図である。
【図２】図２は同じく実施例２による盛り塩成形器の斜視図である。
【図３】図３は同じく実施例３による盛り塩成形器の正面図である。
【図４】図４は同じく図３のＡ−Ａ拡大端面図である。
【図５】図５は同じく側面図である。
【図６】図６は同じく斜視図である。
【図７】図７は同じく盛り塩成形器のつかみ部に左右から力を加え、一対の盛り塩成形用型を重ね合わせた状態の正面図である。
【手続補正８】
【補正対象書類名】明細書
【補正対象項目名】００３４
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
一方の側を把持部とした取っ手の他方側に錐形盛り塩成形用型を設け、該錐形盛り塩成形用型を適量の塩に押し付けて錐形盛り塩成形用型内に塩を収容し、それを反転して載置物上に載置し盛り塩を形成することを特徴とする盛り塩成形器。
【請求項２】
前記把持部は、Ｕ字型の折り返し部を形成した一対のつかみ部を備え、一方のつかみ部の先端には錐形盛り塩成形用型を設け、他方のつかみ部の先端には盛り塩型取り用プレス栓を設け、錐形盛り塩成形用型内の塩を押圧し、錐形の盛り塩を型取りすることを特徴とする請求項１に記載の盛り塩成形器。
【請求項３】
Ｕ字型の折り返し部を形成して一対のつかみ部を備えた把持部と、前記つかみ部の端部にあって樋状の支持部に適合するようにそれぞれに固定した一対の半錐形盛り塩成形用型と、前記半錐形盛り塩成形用型の外側壁であって当該半錐形盛り塩成形用型の弧に適合するように樋状に湾曲して取り付けた支持部を備え、前記半錐形盛り塩成形用型を重合し該半錐形盛り塩成形用型内に適量の塩を挟み込んで半錐形盛り塩成形用型内に収容し、載置物上で前記半錐形盛り塩成形用型を互いに離して盛り塩を形成することを特徴とする。
【請求項４】
前記つかみ部は前記半錐形盛り塩成形用型の外側壁の上部から下部まで延設して該外側壁を固定したことを特徴とする請求項３に記載の盛り塩成形器。